(57)【要約】      （修正有）【課題】集水桝に設置される通水型桝蓋への落ち葉等のゴミが滞留しないようにすることで豪雨で多量の雨水が流れ来てもそれらの桝内への流下を確保して洪水の発生が防止されるようにした雨水流路系からのゴミ分離処理構造を提供する。【解決手段】雨水流路系の途中である車道や歩道などの側脇に設置された通水型桝蓋付き集水桝８の近傍には、内部に分離処理空間１３を有するゴミ分離処理桝１２が埋込設置され、このゴミ分離処理桝１２を含む路脇境界材４には、集水桝８の雨水流路系における上流側において落ち葉や捨てゴミなどのゴミ類を雨水とともに分離処理空間１３内に取り込む流入口２０が形成されるとともに、流入口２０手前の路脇部分には、上流側から流れ来るゴミ混じりの雨水を流入口２０方向へ誘導する誘導手段１６が設けられ、分離処理空間１３内にはゴミを捕集し雨水は通過させるゴミ分離スクリーンが設けられる一方、ゴミ分離処理桝１２と集水桝８とは分離水排出路で連通状に形成されている。【選択図】図１
0003220747.tif 000002
【実用新案登録請求の範囲】
【請求項１】
雨水流路系の途中である車道や歩道などの側脇に設置された通水型桝蓋付き集水桝の近傍には、内部に分離処理空間を有するゴミ分離処理桝が埋込設置され、このゴミ分離処理桝を含む路脇境界材には、集水桝の雨水流路系における上流側において落ち葉や捨てゴミなどのゴミ類を雨水とともに分離処理空間内に取り込む流入口が形成されるとともに、前記流入口手前の路脇部分には、上流側から流れ来るゴミ混じりの雨水を流入口方向へ誘導する誘導手段が設けられ、前記分離処理空間内にはゴミを捕集し雨水は通過させるゴミ分離スクリーンが設けられる一方、ゴミ分離処理桝と集水桝とは分離水排出路で連通状に形成されている雨水流路系からのゴミ分離処理構造。
【考案の詳細な説明】
【技術分野】
【０００１】  本考案は、雨水流路系からのゴミ分離処理構造に関する。
【背景技術】
【０００２】  車道や歩道などの側脇に設けられる集水桝には降雨時に共に流れくる落ち葉などのゴミを止めてできるだけ雨水だけを桝内に導入して土中配管に導くようにするための多孔構造の桝蓋が設けられているのが一般的である。そうした桝蓋を備えたものとして特許文献１に開示されたものがある。【０００３】
【特許文献１】実用新案登録第３０８５０４５号
【考案の概要】
【考案が解決しようとする課題】
【０００４】  特許文献１に係る発明に開示されたものは集水桝用ゴミ収集受器についてのもので、平面視矩形状の包囲壁と該包囲壁の下方の開口部を下方から施蓋するように常時弾発付勢される板状蓋部を有して集水桝に施蓋状に載置される受器本体と、該受器本体の開口部を下方から包囲するように該受器本体の下方側に取り外し自在に取り付けられたネット体とを、備えたことを特徴とするもので、集水桝へのゴミの流入を阻止してゴミの詰まりを防止することができるようにしたものである。
このゴミ収集受器を有する集水桝は、上部に多孔状の桝蓋を有しているが、その穴は大きく落ち葉のようなかなり大きなものをも通すことを想定したものである。しかし、一般的な桝蓋に形成された孔は落ち葉などが通過しにくい程の小さ目のものでその上面に落ち葉などが滞留しやすくなっているため、それら滞留物によって雨水の流れ込みが阻害され、路面側域には降雨初期から雨水が溜まり始める傾向になり、やがて多量に溜まってしまいどうしても洪水を発生しやすい一因となっていた。【０００５】  本考案は、こうした問題を解決しようとするものであり、集水桝に設置される通水型桝蓋への落ち葉等のゴミが滞留しないようにすることで豪雨で多量の雨水が流れ来てもそれらの桝内への流下を確保して洪水の発生が防止されるようにした雨水流路系からのゴミ分離処理構造を提供することを目的とする。
【課題を解決するための手段】
【０００６】  本考案は上記目的を達成するため、請求項１に記載の考案は、雨水流路系の途中である車道や歩道などの側脇に設置された通水型桝蓋付き集水桝の近傍には、内部に分離処理空間を有するゴミ分離処理桝が埋込設置され、このゴミ分離処理桝を含む路脇境界材には、集水桝の雨水流路系における上流側において落ち葉や捨てゴミなどのゴミ類を雨水とともに分離処理空間内に取り込む流入口が形成されるとともに、前記流入口手前の路脇部分には、上流側から流れ来るゴミ混じりの雨水を流入口方向へ誘導する誘導手段が設けられ、前記分離処理空間内にはゴミを捕集し雨水は通過させるゴミ分離スクリーンが設けられる一方、ゴミ分離処理桝と集水桝とは分離水排出路で連通状に形成されている。
【考案の効果】
【０００７】  上述したように請求項１に記載の考案は、雨水流路系の途中である車道や歩道などの側脇に設置された通水型桝蓋付き集水桝の近傍には、内部に分離処理空間を有するゴミ分離処理桝が埋込設置され、このゴミ分離処理桝を含む路脇境界材には、集水桝の雨水流路系における上流側において落ち葉や捨てゴミなどのゴミ類を雨水とともに分離処理空間内に取り込む流入口が形成されるとともに、前記流入口手前の路脇部分には、上流側から流れ来るゴミ混じりの雨水を流入口方向へ誘導する誘導手段が設けられ、前記分離処理空間内にはゴミを捕集し雨水は通過させるゴミ分離スクリーンが設けられる一方、ゴミ分離処理桝と集水桝とは分離水排出路で連通状に形成されているので、集水桝に設置される通水型桝蓋への落ち葉等のゴミが滞留しないようにすることで豪雨で多量の雨水が流れ来てもそれらの桝内への流下を確保して洪水の発生が防止されるようにした雨水流路系からのゴミ分離処理構造を提供することができる。
【図面の簡単な説明】
【０００８】
【図１】  本考案の一実施形態である雨水流路系からのゴミ分離処理構造を示す平面図。
【図２】  図１のＩＩ−ＩＩ線断面図。
【図３】  図１のＩＩＩ−ＩＩＩ線断面図。
【図４】  ゴミ分離スクリーンを示す斜視図。
【図５】  図１のＶ方向からの矢視図。
【図６】  流入口の他の実施形態を示す正面図。
【図７】  図６のＶＩＩ−ＶＩＩ線断面図。
【図８】  他の実施形態を示す横断面図。
【図９】  ゴミ分離スクリーンの他の実施形態を示す斜視図。
【図１０】  他の実施形態を示す平面図。
【図１１】  図１０のＸＩ−ＸＩ線断面図。
【図１２】  他の実施形態を図１３のＸＩＩ−ＸＩＩ線に対応して示す横断平面図。
【図１３】  図１２のＸＩＩＩ−ＸＩＩＩ線断面図。
【図１４】  図１３の要部を分解状態にして示す斜視図。
【考案を実施するための形態】
【０００９】  以下、本考案である雨水流路系からのゴミ分離処理構造の一実施形態を図１ないし図５に従って説明する。
これらの図において、１は車道で、アスファルト基盤でなっている。２は歩道で、ここでは花壇３の内側に設けられている。花壇３は、車道１側の路脇境界材４と歩道２側の歩道脇境界材５とを有するとともにそれらの間に土壌６を備えてなっている。
【００１０】  ８は集水桝で、図１および図２に矢印で示すように右から左に向けて雨水を流すための地中排水パイプ（暗渠パイプ）９，９が前後に通される一方、上面には多孔で通水型の桝蓋（グレーチング）１０が脱着自在に設置されている。
１２はゴミ分離処理桝で、上面が開放型で横長角受槽型をしたコンクリート製のものであり、下流側Ｙの半分が集水桝８の側脇近傍にあり上流側Ｘの半分が集水桝８より上流側にあるようにして花壇３の下側に埋込設置されている。ゴミ分離処理桝１２の内部には分離処理空間１３が形成されているとともに、ゴミ分離処理桝１２の上面開口には、閉止蓋１４が設けられており、この実施形態では、閉止蓋１４の前端方に路脇境界材４の下端が位置するようになっているが、閉止蓋１４を図３の状態よりも車道１側に伸ばしてその上側に路脇境界材４が載り掛るような構成にしてもよい。
【００１１】  車道１において集水桝８の路脇境界材４側でかつ上流側Ｘ表面には、上流側Ｘから下流側Ｙへと次第に低く掘り下げられた形とされ集水桝８の手前近傍において１５〜３０ｍｍ深くかつ車道１側から路脇境界材４側へ向けて斜めに下がった凹形状とされた側方誘導用窪み（誘導手段）１６が形成されている。１６ａは誘導縁部であって、上流側Ｘから流れ来るゴミ混じりの雨水Ａ…を路脇境界材４の方向に誘導するようにする。
【００１２】  ゴミ分離処理桝１２の車道１側の前面には、流入口２０が形成されている。この流入口２０は、図１のように、前記窪み１６に略対応してやや長く開口したものとされ、断面としては、図３に示すように、上端は車道１の面よりも高く下端２０ａは窪み１６よりも低くしかも流れ込みやすくするため空間１３内へと下がる傾斜面となるように形成されている。
【００１３】  ２２はゴミ分離スクリーンで、流入口２０よりも少し狭い幅で下端２０ａから空間１３奥面まで斜めに下がる奥行寸法をもつ本体部分２２ａを有し、その本体部分２２ａの下端には折り返し部分２２ｂを有してゴミが溜まりやすくなるようにしてある一方、上端両側には流入口２０の開口両側に立ち上がる突起２２ｃが設けられるとともにその上端には引掛け具（指でもよい）２３を掛けて引上げ得るようなリング（引掛部）２２ｄが設けられている。
【００１４】  このゴミ分離スクリーン２２は、両リング２２ｄに指を掛けて流入口２０を通じて空間１３内に挿し入れ本体部分２２ａが流入口２０から空間１３へと斜めに下がるようにするとともに突起２２ｃを流入口２０の開口端に添わせるとともにリング２２ｄを路脇境界材４の前面に当て付けるようにしてセットする。収集したゴミを持ち出すには、リング２２ｄを引っ掛けて本体部分２２ａを流入口２０を通じて抜き出すようにすればよい。
【００１５】  ２５は分離水排出路で、ゴミ分離処理桝１２の下流側Ｘの側面と集水桝８の側壁間を連通する分離水排出パイプ２６内に形成されている。
前記窪み１６は平面視台形になっていたが、図１の右下欄のように三角形あるいは半円（楕円）形にしてもよい。
【００１６】  図１ないし図３に示すようにゴミ分離スクリーン２２がセットされた状態で降雨があり上流側Ｘからゴミ混じりの雨水が流れてくると、矢印Ａのように窪み１６に誘導されて流入口２０内へと持ち込まれ、図３のように落ち葉や一般ゴミなどのゴミａ…のみがゴミ分離スクリーン２２によって捕捉され雨水はそのまま通過して空間１３内を通じて分離水排出路２５をから集水桝８内へと導かれ地中排水パイプ９を通じて下流側に導かれてゆく。降雨の初期からかなりの嵩レベルまではこのような脇流によりゴミａ…はゴミ分離スクリーン２２に捕集されてゆくので下流の桝蓋１０上までには持ち込まれず、雨水が多量化した場合でも桝蓋１０の多孔の通水性が確保されて洪水のおそれをなくすことができる。
【００１７】  図６および図７に示すように、流入口２０には横桟２９を設けて流入口２０を通じて猫や犬あるいはイタチやネズミなどの小動物等が出入りしにくいようにしてもよい。この横桟２９の下側開口はゴミの流入に差し支えないように高さと幅を充分に確保するものとし、この横桟２９を利用してゴミ分離スクリーン３０をフック掛けできる方式にしてもよい。
【００１８】  図８および図９は他の実施形態を示す。この実施形態は、ゴミａ…の捕集と保持および回収が確実になされるように、ゴミ分離スクリーン３３を２つ折り式で相互間にゴミ入れ空間が形成されるようにした本体部分３３ａ、３３ａを持つものとしその間をヒンジ３４で開閉可能に連結するとともにヒンジ３４回りに開きバネ（図示省略）を備えたものにした。３５は左右の突片、３６はリングなどの引掛部であり、両本体部分３３ａ、３３ａは開き勝手になっているので、図８に示すように、ゴミ分離スクリーン３３を流入口２０を通じて挿し入れ突片３５，３５が流入口２０内で拡開して保持されかつ上下の引掛部３６が流入口２０の外側に引っ掛かって保持されるようにしてセットされ、ゴミ分離スクリーン３３内に捕集されたごみａ…は両本体部分３３ａ、３３ａ間に確保されるとともに洪水後に引き出される際にも確実に回収されるものとなる。
【００１９】  図１０および図１１は他の実施形態を示す。この実施形態において４０は車道、４１は歩道で、車道４０側にはＬ形境界ブロックである路脇境界材４２…が並列に配置されるとともに、その一つの開口にグレーチングである桝蓋４３が開閉装備され、その下方に集水桝４４が設置されてなっている。Ｌ形の路脇境界材４２は、上面（誘導手段の一つ）４５が路脇方向に緩やかに下がり傾斜した座盤部４６とその一端から上向きに一体的に突出した縁石部４７とを備えるものとされている。座盤部４６と縁石部４７とが別体ものになっていて座盤部（座盤）４６の一端上に縁石部（縁石）４７が載置される図１１右欄の従来形式のものであってもよい座盤部（座盤）４６は、一連状に現場打設されるものも含む。
【００２０】  ５０はゴミ分離処理桝で、上面が開放型で横長角受槽型をしたコンクリート製のものであり、下流側Ｙの半分が集水桝４４の側脇近傍にあり上流側Ｘの半分が集水桝４４より上流側にあるようにして歩道４１の下側に埋込設置されている。ゴミ分離処理桝５０の内部には分離処理空間５１が形成されているとともに、ゴミ分離処理桝５０の上面開口には、閉止蓋５２が設けられており、この実施形態では、閉止蓋５２の前端方に路脇境界材４２の縁石部４７背面が位置するようになっている。４８は地中排水パイプである。
【００２１】  路脇境界材４２のうち集水桝４４が設けられたものの一つ上流側Ｘのものの上面４５には、上流側Ｘから下流側Ｙへと次第に低く掘り下げられ一側が湾曲状をなす形とされ縁石部４７の手前近傍において１５〜２０ｍｍ深くかつ車道４０側から路脇境界材４２側へ向けて斜めに下がった凹形状とされた側方誘導用窪み（誘導手段の一つ）５５が形成されている。座部４６の上面４５自体が緩やかに傾斜しているので、この窪み５５は浅く掘り下げた形にしたりあるいは他の上面４５と同じ一律な傾斜面のままにすることもある。５５ａは誘導縁部であって、上流側Ｘから流れ来るゴミ混じりの雨水Ａ…を路脇境界材４２の方向に誘導するようにする。
【００２２】  前記窪み５５が形成された路脇境界材４２の縁石部４７には躯体支柱ｂ…５５からの雨水Ａを受け入れるようにする第１流入口５７が横長矩形開口状に形成されている。その第１流入口５７に連通状に対応するようにゴミ分離処理桝５０の車道４０側の前壁には、第２流入口５８が形成されている。この第２流入口５８は、図１０のように、前記窪み５５に後半部分に略対応する長さとして開口したものとされ、断面としては、図１１に示すように、上端は車道４０の面よりも高く下端５８ａは窪み５５よりも低くしかも流れ込みやすくするため空間５１内へと下がる傾斜面に形成されている。
【００２３】  ６０はゴミ分離スクリーンで、第１、第２流入口５７，５８よりも少し狭い幅で下端５８ａから空間５１奥面まで斜めに下がる奥行寸法をもつ本体部分６１を有し、その本体部分６１の下端には２段階折り曲げ状の捕集部分６２を有してゴミが溜まりやすくなるようにしてある一方、上端両側には第１流入口５７の開口下面から前面へとＬ字状に立ち上がる突片６３，６３が設けられるとともにその上端には指などを掛けて引上げ得るようなリング（引掛部）６４が設けられている。
【００２４】  このゴミ分離スクリーン６０は、両リング６４に指を掛けて流入口５７，５８を通じて空間５１内に挿し入れられ本体部分６１が空間５１へと斜めに下がるようにするとともに突片６３を流入口５７の開口端に添わせるとともにリング６４を路脇境界材４２の前面に当て付けるようにしてセットする。捕集したゴミａ…を持ち出すには、リング６４に指を掛けて斜め手前方向に引き上げるようにして本体部分６１を空間５１内から抜き出すようにする。
【００２５】  ６６は分離水排出路で、ゴミ分離処理桝５０の下流側Ｘの側面と集水桝４４の側壁間を連通する分離水排出パイプ６７内に形成されている。
【００２６】  図１０ないし図１１に示すようにゴミ分離スクリーン６０がセットされた状態で降雨があり上流側Ｘからゴミ混じりの雨水が流れてくると、矢印Ａのように窪み５５に誘導されて第１・第２流入口５７，５８内へと持ち込まれ、落ち葉や一般ゴミなどのゴミａ…のみがゴミ分離スクリーン６０によって捕集され雨水はそのまま通過して空間５１内を通じて分離水排出路６６から集水桝４４内へと導かれ地中排水パイプ４８を通じて下流側に導かれてゆく。降雨の初期からかなりの嵩レベルまではこのような脇流によりゴミａ…はゴミ分離スクリーン６０に捕集されてゆくので下流の桝蓋４３上までには持ち込まれず、雨水が多量化した場合でも桝蓋４３の多孔の通水性が確保されて洪水のおそれをなくすことができる。
尚、捕集部分６２などゴミ分離スクリーン６０上に捕集されたゴミａ…やゴミ分離処理桝７７の底部などに滞留するゴミは、閉止蓋５２に設けた作業用開閉蓋６８を開いて挿し入れられるバキュームホース６９により吸引除去するようにしてもよい。
【００２７】  図１２ないし図１４は他の実施形態を示す。７０は車道、７１はコンクリート製座盤、７２は縁石であり、下流側Ｙの座盤７１には桝蓋７３付き集水桝７４が設置されて地中排水パイプ７５が通されている。座盤７１は図１１の右欄のように上面が縁石７２の方向に下がり傾斜して誘導手段の一つとなっているが水平状でもよい。また、座盤７１と縁石７２とは図１１のようにＬ形境界ブロックのように一体化したものでもよい。
７７はゴミ分離処理桝で、集水桝７４の上流側Ｘの座盤７１に設置されている。このゴミ分離処理桝７７は、集水桝７４よりも半幅状の矩形受皿型に形成され、その上面開口にはグレーチング型の前桝蓋７８が開閉自在に設けられている。前桝蓋７８はその上流側Ｘの傾斜端面は３０度前後先鋭状に形成される一方、ゴミ分離処理桝７７のそれに対応する個所には、前桝蓋７８との間にゴミａ混じりの雨水Ａが余裕をもって通過し得る流入口８０を残すようにして誘導傾斜面８１が形成されている。流入口８０は、２０〜３０ｍｍ程度とされる。前桝蓋７８の底部には、分離処理空間８２内に下流寄りにおいて垂下する多孔製ゴミ分離スクリーン８３が設けられている。ゴミ分離スクリーン８３の下端からはゴミａをより多く捕集し持ち上げて回収しやすいようにレの字をなす受部８３ａを設けてもよい。また、ゴミ分離処理桝７７とシャッター７４との間は分離水排出パイプ８４で連通状とされている。８５は止着具で前桝蓋７８を脱着可能とするものである。
【００２８】  ゴミａ…混じりの雨水Ａが上流側Ｘから流れ来ると、流入口８０を通じてゴミ分離処理桝７７内に流れ込み、その内部空間８２においてゴミａ…のみがゴミ分離スクリーン８３に捕集される一方、雨水分については分離水排出パイプ８４を通じて集水桝７４内に持ち込まれる。それにより、ゴミａ…は集水桝７４の桝蓋７３上に流されることはなく、その後に雨水が多量に流れ来ても桝蓋７３には通水機能が確保されているため、洪水に至るようなことがなくなる。
【符号の説明】
【００２９】  １，４０，７０…車道  ４，４２…路脇境界材  ８，４４，７４…集水桝  １０，４３，７３…桝蓋  １２，５０，７７…ゴミ分離処理桝  １３，５１，８２…ゴミ処理空間  ３０，６０，８３…ゴミ分離スクリーン。
【図１】
0003220747.tif 000003
【図２】
0003220747.tif 000004
【図３】
0003220747.tif 000005
【図４】
0003220747.tif 000006
【図５】
0003220747.tif 000007
【図６】
0003220747.tif 000008
【図７】
0003220747.tif 000009
【図８】
0003220747.tif 000010
【図９】
0003220747.tif 000011
【図１０】
0003220747.tif 000012
【図１１】
0003220747.tif 000013
【図１２】
0003220747.tif 000014
【図１３】
0003220747.tif 000015
【図１４】
0003220747.tif 000016
【手続補正書】
【提出日】平成31年1月16日(2019.1.16)
【手続補正１】
【補正対象書類名】実用新案登録請求の範囲
【補正対象項目名】全文
【補正方法】変更
【補正の内容】
【実用新案登録請求の範囲】
【請求項１】
雨水流路系の途中である車道や歩道などの側脇に設置された通水型桝蓋付き集水桝の近傍には、内部に分離処理空間を有するゴミ分離処理桝が埋込設置され、このゴミ分離処理桝を含む路脇境界材には、集水桝の雨水流路系における上流側において落ち葉や捨てゴミなどのゴミ類を雨水とともに分離処理空間内に取り込む流入口が形成されるとともに、前記流入口手前の路脇部分には、上流側から流れ来るゴミ混じりの雨水を流入口方向へ誘導する誘導手段が設けられ、前記分離処理空間内にはゴミを捕集し雨水は通過させるゴミ分離スクリーンが設けられ、そのゴミ分離スクリーンは、外形が四角形で網材のように多孔状の部材により本体部分が造られるとともに一端である基部側に流入口外側に引っ掛かる部分を有しかつ他端である先端側にはゴミを捕捉する上向き折り返し状の部分を備えて、前記基部側を流入口外側に引っ掛かった状態にして本体部分はその上端が流入口からのゴミ類を受け入れ可能に臨みつつ分離処理空間内へと下がり傾斜して設置されるようにされかつ前記折り返し部分はゴミ分離処理桝の奥面手前に位置するようにされる一方、ゴミ分離処理桝と集水桝とは分離水排出路で連通状に形成されている雨水流路系からのゴミ分離処理構造。